(57)【要約】【課題】  この発明は、チャプタスキップにおいて、タイトルのどの位置を視聴しているかをわかりやすくし、利便性を向上させた映像再生装置を提供することを目的としている。【解決手段】  チャプタスキップ信号に応じてスキップ先である第２のチャプタの番号を計算する手段（２６）と、計算された第２のチャプタの番号に対応するサムネイルの位置および第２のチャプタの開始位置を取得する手段（２６）と、取得されたサムネイルの位置に応じて第２のチャプタに係るサムネイルを表示する手段（２９）と、取得された第２のチャプタの開始位置に応じて映像信号を再生する手段（１７）を備える。【選択図】      図５
2007312116.tif 000002
【特許請求の範囲】
【請求項１】
記憶媒体に記憶され複数のチャプタで構成された映像信号を再生する映像再生装置において、
前記複数のチャプタの第１のチャプタから前記複数のチャプタの第２のチャプタへスキップするためのチャプタスキップ信号を受信する手段と、
前記受信したチャプタスキップ信号に応じてスキップ先である第２のチャプタのチャプタ番号を計算する手段と、
前記計算された第２のチャプタのチャプタ番号に対応する前記記憶媒体に記憶された映像信号に係るサムネイルの位置および第２のチャプタの開始位置を取得する手段と、
前記取得されたサムネイルの位置に応じて第２のチャプタに係るサムネイルを表示する手段と、
前記取得された第２のチャプタの開始位置に応じて第２のチャプタに係る映像信号を再生する手段を備えることを特徴とする映像再生装置。
【請求項２】
記憶媒体に記憶され複数のチャプタで構成された映像信号を再生する映像再生装置において、
前記複数のチャプタの第１のチャプタから前記複数のチャプタの第２のチャプタへスキップするためのチャプタスキップ信号を受信する手段と、
前記受信したチャプタスキップ信号に応じてスキップ先である第２のチャプタのチャプタ番号を計算する手段と、
前記計算された第２のチャプタのチャプタ番号に対応する前記記憶媒体に記憶された映像信号に係るサムネイルの位置および第２のチャプタの開始位置を取得する手段と、
前記取得されたサムネイルの位置に応じて第２のチャプタに係るサムネイルを一時的に表示する手段と、
前記一時的に表示された第２のチャプタに係るサムネイルに続いて、前記取得された第２のチャプタの開始位置に応じて第２のチャプタに係る映像信号を再生する手段を備えることを特徴とする映像再生装置。
【請求項３】
前記取得された第２のチャプタの開始位置に応じて第２のチャプタに係る映像信号を第２のチャプタの開始位置から再生することを特徴とする請求項１乃至２に記載の映像再生装置。
【請求項４】
記憶媒体に記憶され複数のチャプタで構成された映像信号を再生する映像再生方法において、
前記複数のチャプタの第１のチャプタから前記複数のチャプタの第２のチャプタへスキップするためのチャプタスキップ信号を受信するステップと、
前記受信したチャプタスキップ信号に応じてスキップ先である第２のチャプタのチャプタ番号を計算するステップと、
前記計算された第２のチャプタのチャプタ番号に対応する前記記憶媒体に記憶された映像信号に係るサムネイルの位置および第２のチャプタの開始位置を取得するステップと、
前記取得されたサムネイルの位置に応じて第２のチャプタに係るサムネイルを表示するステップと、
前記取得された第２のチャプタの開始位置に応じて第２のチャプタに係る映像信号を再生するステップを備えることを特徴とする映像再生方法。
【請求項５】
記憶媒体に記憶され複数のチャプタで構成された映像信号を再生する映像再生方法において、
前記複数のチャプタの第１のチャプタから前記複数のチャプタの第２のチャプタへスキップするためのチャプタスキップ信号を受信するステップと、
前記受信したチャプタスキップ信号に応じてスキップ先である第２のチャプタのチャプタ番号を計算するステップと、
前記計算された第２のチャプタのチャプタ番号に対応する前記記憶媒体に記憶された映像信号に係るサムネイルの位置および第２のチャプタの開始位置を取得するステップと、
前記取得されたサムネイルの位置に応じて第２のチャプタに係るサムネイルを一時的に表示するステップと、
前記一時的に表示された第２のチャプタに係るサムネイルに続いて、前記取得された第２のチャプタの開始位置に応じて第２のチャプタに係る映像信号を再生するステップを備えることを特徴とする映像再生方法。
【発明の詳細な説明】
【技術分野】
【０００１】
この発明は、記憶媒体に記憶され複数のチャプタで構成された映像信号を再生する映像再生装置に関する。またこの発明は第１のチャプタから第２のチャプタへスキップ再生する映像再生装置に関する。
【背景技術】
【０００２】
現在、ＨＤＤ（ハードディスクドライブ）やＤＶＤ（デジタルビデオディスク）等の記録媒体に映像を記録する映像再生装置が製品化されている。このような映像再生装置は、映像や音楽（以下両者を総称して映像）を手軽に記録（録画）することができる。
【０００３】
記録媒体に記録（録画）された映像信号は、タイトル（番組）を分割してプレイリストを作成したり、チャプタを指定したりすることが可能である。
特許文献１には、映像データの再生に係る時間の経過方向へスキップさせる指示を受け、算出手段が算出した分割アドレスへスキップし再生を開始する技術が開示されている。しかしながら、この特許文献１では複数のチャプタをスキップする場合や何度かスキップを連続した場合に、ユーザは、そのタイトルのどの位置を視聴しているかがわかりにくいといった問題があった。
【特許文献１】特開２００５−３４６８９０号公報
【発明の開示】
【発明が解決しようとする課題】
【０００４】
そこで、この発明は、上記事情を考慮してなされたもので、複数のチャプタをスキップする場合や何度かスキップを連続した場合においても、そのタイトルのどの位置を視聴しているかをわかりやすくし、映像再生装置の利便性を向上させることを目的とする。
【課題を解決するための手段】
【０００５】
この発明に係る映像再生装置は、第１のチャプタから第２のチャプタへスキップするためのチャプタスキップ信号を受信する手段と、前記受信したチャプタスキップ信号に応じてスキップ先である第２のチャプタのチャプタ番号を計算する手段と、前記計算された第２のチャプタのチャプタ番号に対応する前記記憶媒体に記憶された映像信号に係るサムネイルの位置および第２のチャプタの開始位置を取得する手段と、前記取得されたサムネイルの位置に応じて第２のチャプタに係るサムネイルを表示する手段と、前記取得された第２のチャプタの開始位置に応じて第２のチャプタに係る映像信号を再生する手段を備えるように構成している。
【０００６】
この発明に係る映像記録方法は、第１のチャプタから第２のチャプタへスキップするためのチャプタスキップ信号を受信するステップと、前記受信したチャプタスキップ信号に応じてスキップ先である第２のチャプタのチャプタ番号を計算するステップと、前記計算された第２のチャプタのチャプタ番号に対応する前記記憶媒体に記憶された映像信号に係るサムネイルの位置および第２のチャプタの開始位置を取得するステップと、前記取得されたサムネイルの位置に応じて第２のチャプタに係るサムネイルを表示するステップと、前記取得された第２のチャプタの開始位置に応じて第２のチャプタに係る映像信号を再生するステップを備えるように構成している。
【発明の効果】
【０００７】
上記した構成によれば、複数のチャプタをスキップする場合やスキップを連続する場合においても、そのタイトル（コンテンツ）のどの位置を視聴しているかがわかりやすくなり、映像再生装置を操作するユーザの利便性を向上させることが可能となる。
【発明を実施するための最良の形態】
【０００８】
以下、図面を参照してこの発明の実施の形態を説明する。
図１はこの発明の実施の形態に係る映像再生装置の構成の一例を示すブロック図である。
この映像再生装置では、記録媒体としてＤＶＤ−ＲＡＭとハードディスクとの双方を取り扱うことができるものとしているが、ハードディスクまたはＤＶＤ−ＲＡＭは、例えば半導体メモリ等の記録媒体に置換されてもよいものである。
【０００９】
なお、この映像再生装置では、映像の記録もできるように構成されている。
図１に示した映像再生装置において、その各ブロックを大きく分けると、左側に記録部の主なブロックが存在し、右側に再生部の主なブロックが存在する。
すなわち、この映像再生装置は、２種類のディスクドライブ部を有する。まず、ビデオファイルを構築できる情報記録媒体である第１のメディアとしての光ディスク１１を回転駆動し、情報の読み書きを実行するディスクドライブ部１２を有する。また、第２のメディアとしてのハードディスク１３ａを駆動するＨＤＤ（Hard Disk Drive）部１３を有する。
【００１０】
Ｄ−ＰＲＯ（Data−Processor）部１４は、ディスクドライブ部１２及びＨＤＤ部１３に記録データを供給することができ、また、再生された信号を受け取ることができる。ディスクドライブ部１２は、光ディスク１１に対する回転制御系、レーザ駆動系、光学系などを有する。
【００１１】
Ｄ−ＰＲＯ部１４は、記録または再生単位のデータを取り扱うもので、バッファ回路、変調・復調回路、エラー訂正部等を含んでいる。
また、この映像再生装置は、記録側を構成するエンコーダ部１５と、再生側を構成するデコーダ部１６と、装置本体の動作を制御するマイクロコンピュータブロック１７とを主たる構成要素としている。
【００１２】
エンコーダ部１５は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００１３】
エンコーダ部１５の出力は、バッファメモリ１８を含むフォーマッタ１９にて所定のＤＶＤ−ＲＡＭのフォーマットに変換され、先のＤ−ＰＲＯ部１４に供給される。
【００１４】
エンコーダ部１５には、Ａ／Ｖ（Audio／Video）入力部２０からの外部アナログビデオ信号と外部アナログオーディオ信号、または、ＴＶ（Television）チューナー部２１からのアナログビデオ信号とアナログオーディオ信号とが入力される。
【００１５】
なお、エンコーダ部１５は、圧縮されたデジタルビデオ信号やデジタルオーディオ信号が直接入力されるときは、圧縮デジタルビデオ信号やデジタルオーディオ信号を直接フォーマッタ１９に供給することもできる。
【００１６】
また、エンコーダ部１５は、アナログデジタル変換されたデジタルビデオ信号やオーディオ信号を、Ｖ（Video）ミキシング部２２やオーディオセレクタ２３に直接供給することもできる。
【００１７】
エンコーダ部１５に含まれるビデオエンコーダでは、デジタルビデオ信号が、ＭＰＥＧ（Moving Picture Experts Group）２またはＭＰＥＧ１規格に基づいた可変ビットレートで圧縮されたデジタルビデオ信号に変換される。
【００１８】
デジタルオーディオ信号は、ＭＰＥＧまたはＡＣ（Audio Compression）−３規格に基づいて固定ビットレートで圧縮されたデジタルオーディオ信号、または、リニアＰＣＭ（Pulse Code Modulation）のデジタルオーディオ信号に変換される。
【００１９】
副映像信号がＡ／Ｖ入力部２０から入力された場合（例えば副映像信号の独立出力端子付DVDビデオプレーヤからの信号等）、または、このようなデータ構成のＤＶＤビデオ信号が放送されて、それがＴＶチューナー部２１で受信された場合は、ＤＶＤビデオ信号中の副映像信号が副映像エンコーダでエンコード（ランレングス符号化）されて副映像のビットマップとなる。
【００２０】
エンコードされたデジタルビデオ信号、デジタルオーディオ信号、副映像データは、フォーマッタ１９にてパック化され、ビデオパック、オーディオパック、副映像パックとなる。さらに、これらのパックが集合されて、ＤＶＤ−ＶＲ（Video Recording）規格（例えばＤＶＤ−ＲＡＭ、ＤＶＤ−Ｒ、ＤＶＤ−ＲＷ等に記録する規格）で規定されたフォーマットに変換される。
【００２１】
ここで、図１の映像再生装置は、フォーマッタ１９でフォーマット化された情報（ビデオ、オーディオ、副映像データ等のパック）及び作成された管理情報を、Ｄ−ＰＲＯ部１４を介してＨＤＤ部１３またはディスクドライブ部１２に供給し、ハードディスク１３ａまたは光ディスク１１に記録することができる。
【００２２】
また、ハードディスク１３ａまたは光ディスク１１に記録された情報を、Ｄ−ＰＲＯ部１４、ディスクドライブ部１２を介して光ディスク１１あるいはハードディスク１３ａに記録することもできる。
【００２３】
また、ハードディスク１３ａまたは光ディスク１１に記録されている複数番組のビデオオブジェクトを、一部削除したり、異なる番組のオブジェクトを繋げたりといった編集処理を行なうこともできる。これは、この実施の形態に係るフォーマットが取り扱うデータ単位を定義し、編集を容易にしているからである。
【００２４】
マイクロコンピュータブロック１７は、ＭＰＵ（Micro Processing Unit）またはＣＰＵ（Central Processing Unit）と、制御プログラム等が書きこまれたＲＯＭと、プログラム実行に必要なワークエリアを提供するためのＲＡＭとを含んでいる。
【００２５】
マイクロコンピュータブロック１７のＭＰＵは、そのＲＯＭに格納された制御プログラムにしたがい、ＲＡＭをワークエリアとして用いて、欠陥場所検出、未記録領域検出、記録情報記録位置設定、ＵＤＦ（Universal Disk Format）記録、ＡＶアドレス設定等を実行する。
【００２６】
また、マイクロコンピュータブロック１７は、システム全体を制御するために必要な情報処理部を有するもので、ワークＲＡＭ２４、方式違い検出部２５、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部等を備える。
【００２７】
また、マイクロコンピュータブロック１７は、後に図４で説明するチャプタスキップ再生手段２６を備えている。
チャプタスキップ再生手段２６は、所定のチャプタにおいて計算されるチャプタ番号に応じたサムネイル位置の情報が記憶されている。そして、この計算されたチャプタ番号のサムネイル位置を取得する制御手段を備えている。
【００２８】
マイクロコンピュータブロック１７の実行結果のうち、ユーザに通知すべき内容は、映像再生装置の表示部２８に表示されるか、または、モニターディスプレイ２９にＯＳＤ（On Screen Display）表示される。
【００２９】
また、マイクロコンピュータブロック１７は、この映像再生装置を操作するための操作信号を与えるキー入力部３０を有する。このキー入力部３０は、例えば映像再生装置の本体上に設けた操作スイッチ類、または、リモートコントローラ等に相当する。また、この映像再生装置と有線通信、無線通信または光通信や赤外線通信等の手段を用いて接続されたＰＣ（Personal Computer）パーソナルコンピューター等であってもよい。
【００３０】
いずれの形態であるにせよ、ユーザがこのキー入力部３０を操作することにより、入力された映像音声信号の記録処理や、記録されたコンテンツの再生処理、あるいは記録されたコンテンツに対する編集処理等を施すことができる。
【００３１】
なお、マイクロコンピュータブロック１７が、ディスクドライブ部１２、ＨＤＤ部１３、Ｄ−ＰＲＯ部１４、エンコーダ部１５及びデコーダ部１６等を制御するタイミングは、ＳＴＣ（System Time Clock）３１からの時間データに基づいて実行することができる。記録や再生の動作は、通常は、ＳＴＣ３１からのタイムクロックに同期して実行されるが、それ以外の処理はＳＴＣ３１とは独立したタイミングで実行されてもよい。
【００３２】
デコーダ部１６は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするVデコーダと、セパレータで分離された副映像データ（副映像パックの内容）をデコードするＳＰ（Sub Picture）デコーダと、セパレータで分離されたオーディオデータ（オーディオパックの内容）をデコードするAデコーダとを有する。また、デコードされた主映像にデコードされた副映像を適宜合成し、主映像に、メニュー、ハイライトボタン、字幕やその他の副映像を重ねて出力するビデオプロセッサを備えている。
【００３３】
デコーダ部１６の出力ビデオ信号は、Ｖミキシング部２２に入力される。Ｖミキシング部２２では、テキストデータの合成が行なわれる。また、Ｖミキシング部２２には、ＴＶチューナー部２１やＡ／Ｖ入力部２０からの信号を、直接取り込むラインも接続されている。
【００３４】
また、Ｖミキシング部２２には、バッファとして用いるフレームメモリ３２が接続されている。Ｖミキシング部２２の出力がアナログ出力の場合はＩ／Ｆ（Interface）３３を介して外部出力され、デジタル出力の場合はＤ／Ａ（Digital／Analog）変換器３４を介して外部のモニターディスプレイ２９に出力される。
【００３５】
デコーダ部１６の出力オーディオ信号は、セレクタ２３を介してＤ／Ａ変換器３５でアナログ変換され外部のスピーカ３６に出力される。
セレクタ２３は、マイクロコンピュータブロック１７からのセレクト信号により制御される。これにより、セレクタ２３は、ＴＶチューナー部２１やＡ／Ｖ入力部２０からのデジタル信号を直接モニタする時、エンコーダ部１５をスルーした信号を直接選択することも可能である。
【００３６】
なお、エンコーダ部１５のフォーマッタ１９では、記録中、各切り分け情報を作成し、定期的にマイクロコンピュータブロック１７のＭＰＵに送出している［ＧＯＰ（Group Of Picture）先頭割り込み時等の情報］。切り分け情報としては、ＶＯＢＵ（Video Object Unit）のパック数、ＶＯＢＵ先頭からのＩ（Intra）ピクチャのエンドアドレス、ＶＯＢＵの再生時間等である。
【００３７】
同時に、アスペクト比情報処理部からの情報を記録開始時にＭＰＵに送り、ＭＰＵはＶＯＢ（Video Object）ストリーム情報（ＳＴＩ）を作成する。ここで、ＳＴＩは、解像度データ、アスペクト比データ等を保存し、再生時に、各デコーダ部ではこの情報を元にして初期設定が行なわれる。
【００３８】
また、この映像再生装置では、ビデオファイルは１ディスクに１ファイルとしている。また、データをアクセス（シーク）している間に、途切れないで再生を続けるために、最低限連続する情報単位（サイズ）を決めている。この単位をＣＤＡ（Contiguous Data Area）と称している。ＣＤＡサイズは、ＥＣＣ（エラー訂正コード）ブロック（１６セクタ）の倍数であり、ファイルシステムではこのＣＤＡ単位で記録を行なっている。
【００３９】
Ｄ−ＰＲＯ部１４は、エンコーダ部１５のフォーマッタ１９からＶＯＢＵ単位のデータを受け取り、ＣＤＡ単位のデータをディスクドライブ部１２またはＨＤＤ部１３に供給している。
【００４０】
また、マイクロコンピュータブロック１７のＭＰＵは、記録したデータを再生するのに必要な管理情報を作成し、データ記録終了のコマンドを認識すると、作成した管理情報をＤ−ＰＲＯ部１４に送る。これにより、管理情報が光ディスク１１またはハードディスク１３ａに記録される。
【００４１】
このため、エンコードが行なわれているとき、マイクロコンピュータブロック１７のＭＰＵは、エンコーダ部１５からデータ単位の情報（切り分け情報等）を受け取る。また、マイクロコンピュータブロック１７のＭＰＵは、記録開始時には光ディスク１１またはハードディスク１３ａから読み取った管理情報（ファイルシステム）を認識し、各ディスクの未記録エリアを認識し、データ上の記録エリアを、Ｄ−ＰＲＯ部１４を介してディスクに設定している。
【００４２】
図２はこの発明の実施の形態に係る映像再生装置におけるタイトル（コンテンツ）が分割された複数のチャプタを示す図である。
所定のタイトル（コンテンツ、番組： Title No.XX）が、チャプタ１（Chpt.1）、チャプタ２（Chpt.２）、チャプタ３（Chpt.３）、チャプタ４（Chpt.４）、チャプタ５（Chpt.５）、…のように複数のチャプタで構成される。
【００４３】
図３はこの発明の実施の形態に係る映像再生装置におけるチャプタスキップのようすを示す図である。
上記のように、各タイトルは記録媒体に記録されており、各タイトルは複数のチャプタで構成されている。そして、各チャプタ間は図示しないユーザ操作によってスキップ可能に構成されている（チャプタスキップ）。そして、チャプタ１（Chpt.1）、チャプタ２（Chpt.２）、チャプタ３（Chpt.３）、チャプタ４（Chpt.４）、チャプタ５（Chpt.５）間はユーザ操作によってスキップすることができる。
【００４４】
ここでは、チャプタ３（Chpt.３）からチャプタ５（Chpt.５）へスキップするようすを示している。例えば、チャプタ番号は各チャプタの頭に配置することも可能である。そして、チャプタ３（Chpt.３）の頭にはチャプタ番号３が、チャプタ５（Chpt.５）の頭にはチャプタ番号５が配置され、これを用いてチャプタ番号を計算することも可能である。
【００４５】
図４は、この発明の実施の形態に係るチャプタスキップ再生システムを示す図である。
このチャプタスキップ再生システム１００は、例えば図１に示すチャプタスキップ再生手段２６として構成することも可能である。
ここで、チャプタスキップ受付手段１０１は、リモコンもしくは記録再生装置（例えばキー入力部３０等）をユーザが操作することによって送信されるチャプタスキップ信号を受け付ける手段である。チャプタ番号計算手段１０２は、現在のチャプタ（例えばチャプタ番号３）の次のチャプタ番号（チャプタ番号５）を計算する手段である。チャプタ番号の計算は、例えば、上記のようにチャプタ番号を各チャプタの頭に配置し、これを読み取ることで計算することも可能である。
【００４６】
サムネイル位置取得手段１０３は、次に移動するチャプタ（ここではチャプタ５）で設定されているサムネイル位置を取得する手段である。チャプタスキップ再生手段２６は、例えば図示しない記憶装置（メモリ）を備え、所定のチャプタにおいて計算されるチャプタ番号に応じたサムネイル位置の情報を記憶しておくことが可能である。
【００４７】
チャプタ開始位置取得手段１０４は、次に移動するチャプタ（例えばチャプタ５）の開始位置を取得する手段である。表示制御手段１０５は、上記サムネイル位置取得手段１０３で取得されたサムネイルを一時的に（短時間）表示し、次にチャプタ開始位置取得手段１０４で取得された位置からチャプタの再生を行う手段である。
【００４８】
この発明に係る映像再生装置は、記憶媒体に記憶され、複数のチャプタで構成された映像信号を再生する。そして、ユーザの操作に応じ、複数のチャプタの一つである第１のチャプタから複数のチャプタの一つである第２のチャプタへスキップするためのチャプタスキップ信号を受信する手段を備えている。
【００４９】
また、受信したチャプタスキップ信号に応じてスキップ先である第２のチャプタのチャプタ番号を計算する手段、計算された第２のチャプタのチャプタ番号に対応する前記記憶媒体に記憶された映像信号に係るサムネイルの位置および第２のチャプタの開始位置を取得する手段を備えている。
【００５０】
また、取得されたサムネイルの位置に応じて第２のチャプタに係るサムネイルを一時的に表示する手段、表示装置に一時的に表示された第２のチャプタに係るサムネイルに続いて、取得された第２のチャプタの開始位置に応じて第２のチャプタに係る映像信号を再生する手段を備えている。
【００５１】
また、映像信号を再生する手段は、取得された第２のチャプタの開始位置に応じて第２のチャプタに係る映像信号を第２のチャプタの開始位置から再生する。
図５は、この発明の実施の形態に係る映像再生装置におけるチャプタスキップを説明するフローチャートである。
符号Ｓ２００はここでの開始ステップである。続いて符号Ｓ２０１を付したステップへ進む。
符号Ｓ２０１は上記のようにユーザ操作によって送信されるチャプタスキップ信号を映像再生装置が受信するステップである。続いて符号Ｓ２０２を付したステップへ進む。
【００５２】
符号Ｓ２０２はチャプタ番号を計算するステップである。続いて符号Ｓ２０３を付したステップへ進む。
符号Ｓ２０３はサムネイル位置を取得するステップである。続いて符号Ｓ２０４を付したステップへ進む。
符号Ｓ２０４は、次に移動するチャプタ（ここではチャプタ５）で設定されているサムネイルを一時的に表示するステップである。続いて符号Ｓ２０５を付したステップへ進む。
【００５３】
符号Ｓ２０５は、チャプタ開始位置を取得するステップである。続いて符号Ｓ２０６を付したステップへ進む。
符号Ｓ２０６は、上記取得されたサムネイルを一時的に（短時間）表示し、次にそのチャプタの再生を行うステップである。続いて符号Ｓ２０１を付したステップへ進み、上記処理が繰り返される。
【００５４】
これらの処理はマイクロコンピュータブロック１７で制御される。
上記のように構成することによって、この発明の実施の形態においては、複数のチャプタをスキップする場合やスキップを連続する場合においても、そのタイトル（コンテンツ）のどの位置を視聴しているかがわかりやすくなり、映像再生装置を操作するユーザの利便性を向上させることが可能となるという効果がある。
【００５５】
なお、この発明は上記した実施の形態そのままに限定されるものではなく、実施段階ではその趣旨を逸脱しない範囲で構成要素を種々変形して具体化することが可能である。
【図面の簡単な説明】
【００５６】
【図１】この発明の実施の形態に係る映像再生装置の構成の一例を示すブロック図。
【図２】この発明の実施の形態に係る映像再生装置におけるタイトル（コンテンツ）が分割された複数のチャプタを示す図。
【図３】この発明の実施の形態に係る映像再生装置におけるチャプタスキップのようすを示す図。
【図４】この発明の実施の形態に係るチャプタスキップ再生システムを示す図。
【図５】この発明の実施の形態に係る映像再生装置におけるチャプタスキップを説明するフローチャート。
【符号の説明】
【００５７】
１１…光ディスク、１２…ディスクドライブ部、１３…ＨＤＤ部、１４…Ｄ−ＰＲＯ部、１５…エンコーダ部、１６…デコーダ部、１７…マイクロコンピュータブロック、１８…バッファメモリ、１９…フォーマッタ、２０…Ａ／Ｖ入力部、２１…ＴＶチューナー部、２２…Ｖミキシング部、２３…セレクタ、２４…ワークＲＡＭ、２５…方式違い検知部、２６…チャプタスキップ再生手段、２８…表示部、２９…モニターディスプレイ、３０…キー入力部、３１…ＳＴＣ、３２…フレームメモリ部、３３…Ｉ／Ｆ、３４，３５…Ｄ／Ａ変換器、３６…スピーカ。
【図１】
2007312116.tif 000003
【図２】
2007312116.tif 000004
【図３】
2007312116.tif 000005
【図４】
2007312116.tif 000006
【図５】
2007312116.tif 000007